(57)【要約】【課題】ユーザの選択行為（キュレーション）に基づいて、ユーザの趣味嗜好により近い情報を取得する技術を提供する。【解決手段】ユーザによって選択された商品の情報をカテゴリと関連付けて記憶するカテゴリ記憶部にアクセス可能な情報管理装置が、ユーザによる情報の選択を検出し、前記商品の情報が選択された場合に、前記カテゴリ記憶部を参照して当該選択された商品の情報と同じカテゴリに関連付けられた商品の情報を出力する。【選択図】図１
2014160313.tif 000002
【特許請求の範囲】
【請求項１】
ユーザによる情報の選択を検出する選択検出部と、
ユーザによって選択された商品の情報をカテゴリと関連付けて記憶するカテゴリ記憶部と、
前記商品の情報が選択された場合に、前記カテゴリ記憶部を参照して当該選択された商品の情報と同じカテゴリに関連付けられた商品の情報を出力する出力制御部と、
を備える情報管理装置。
【請求項２】
前記出力制御部によって出力された商品の情報のうち、ユーザによって選択された商品の情報をカテゴリと関連付けて前記カテゴリ記憶部に記憶させるカテゴリ生成部を備える請求項１に記載の情報管理装置。
【請求項３】
前記カテゴリ記憶部が、前記カテゴリを作成したユーザの情報を記憶し、
前記カテゴリ生成部が、前記カテゴリをテンプレートとして前記カテゴリ記憶部から読み出し、当該カテゴリと前記商品の情報との関連付けを変更して新規のカテゴリとして前記カテゴリ記憶部に記憶させた場合に、変更前のカテゴリを作成したユーザに対して前記変更を通知する変更通知部を備えた請求項２に記載の情報管理装置。
【請求項４】
前記ユーザによって選択された履歴をキュレーション情報として記憶するキュレーション部を備え、
前記出力制御部が、前記商品の情報を出力する場合に、前記キュレーション情報に基づいて前記商品の情報を出力する順序を決定する請求項１から３の何れか１項に記載の情報管理装置。
【請求項５】
ユーザによって選択された商品の情報をカテゴリと関連付けて記憶するカテゴリ記憶部にアクセス可能な情報管理装置が、
ユーザによる情報の選択を検出するステップと、
前記商品の情報が選択された場合に、前記カテゴリ記憶部を参照して当該選択された商品の情報と同じカテゴリに関連付けられた商品の情報を出力するステップと、
を実行する情報管理方法。
【請求項６】
ユーザによって選択された商品の情報をカテゴリと関連付けて記憶するカテゴリ記憶部にアクセス可能な情報管理装置に、
ユーザによる情報の選択を検出するステップと、
前記商品の情報が選択された場合に、前記カテゴリ記憶部を参照して当該選択された商品の情報と同じカテゴリに関連付けられた商品の情報を出力するステップと、
を実行させるための情報管理プログラム。
【発明の詳細な説明】
【技術分野】
【０００１】
本発明は、商品の広告等の情報を管理する技術に関する。
【背景技術】
【０００２】
近年、インターネット上のショッピングサイトでは、ユーザが商品を購入する際、当該商品と共に関連商品を購入するように推薦（レコメンド）するシステムが広く採用されている。例えば、デジタルカメラを購入する場合に、記録メディアやケース等がレコメンドされる。
【０００３】
また、ユーザの購入履歴に基づいて、ユーザの嗜好を推定し、ユーザの嗜好にあった商品をレコメンドするシステムも提案されている。
【先行技術文献】
【特許文献】
【０００４】
【特許文献１】特開２０１２−２０３４５４号公報
【特許文献２】特開２０１２−１０３９０９号公報
【発明の概要】
【発明が解決しようとする課題】
【０００５】
購入する商品を探しているときに、適確な商品がレコメンドされれば、商品を探す手間が省けて便利であるが、現在インターネット上で提供される情報は、雑多過ぎてユーザの求める情報が効率的に集められない上に、表層的な情報しか得ることが出来ないという問題があった。
【０００６】
また、探している商品の商品名等をキーワードとして検索エンジンで検索し、商品の情報を取得することも考えられるが、検索エンジンでは当該キーワードと関連する様々な情報が索出されるものの、ユーザの嗜好や商品を使用する際のシチュエーションに適合した情報が端的に得られるものではなかった。
【０００７】
そこで、本発明は、ユーザの選択行為に基づいて、ユーザの趣味嗜好により近い情報を取得する技術の提供を課題とする。
【課題を解決するための手段】
【０００８】
上記課題を解決するため、本発明の情報管理装置は、
ユーザによる情報の選択を検出する選択検出部と、
ユーザによって選択された商品の情報をカテゴリと関連付けて記憶するカテゴリ記憶部と、
前記商品の情報が選択された場合に、前記カテゴリ記憶部を参照して当該選択された商品の情報と同じカテゴリに関連付けられた商品の情報を出力する出力制御部と、
を備える。
【０００９】
上記情報管理装置は、
前記出力制御部によって出力された商品の情報のうち、ユーザによって選択された商品の情報をカテゴリと関連付けて前記カテゴリ記憶部に記憶させるカテゴリ生成部を備えても良い。
【００１０】
上記情報管理装置は、
前記カテゴリ記憶部が、前記カテゴリを作成したユーザの情報を記憶し、
前記カテゴリ生成部が、前記カテゴリをテンプレートとして前記カテゴリ記憶部から読み出し、当該カテゴリと前記商品の情報との関連付けを変更して新規のカテゴリとして前記カテゴリ記憶部に記憶させた場合に、変更前のカテゴリを作成したユーザに対して前記変更を通知する変更通知部を備えても良い。
【００１１】
前記ユーザによって選択された履歴をキュレーション情報として記憶するキュレーション部を備え、
前記出力制御部が、前記商品の情報を出力する場合に、前記キュレーション情報に基づいて前記商品の情報を出力する順序を決定しても良い。
【００１２】
上記課題を解決するため、本発明の情報管理方法は、
ユーザによって選択された商品の情報をカテゴリと関連付けて記憶するカテゴリ記憶部にアクセス可能な情報管理装置が、
ユーザによる情報の選択を検出するステップと、
前記商品の情報が選択された場合に、前記カテゴリ記憶部を参照して当該選択された商品の情報と同じカテゴリに関連付けられた商品の情報を出力するステップと、
を実行する。
【００１３】
また、本発明は、上記情報管理方法をコンピュータに実行させるためのプログラムであっても良い。更に、前記プログラムは、コンピュータが読み取り可能な記録媒体に記録されていても良い。
【００１４】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
【００１５】
また、コンピュータに固定された記録媒体としてハードディスクやＲＯＭ（リードオンリーメモリ）等がある。
【発明の効果】
【００１６】
本発明は、ユーザの選択行為に基づいて、ユーザの趣味嗜好により近い情報を取得する技術を提供できる。
【図面の簡単な説明】
【００１７】
【図１】図１は、キュレーション広告配信システムの説明図である。
【図２】図２は、カテゴリＤＢの一例を示す図である。
【図３】図３は、ユーザ情報ＤＢの一例を示す図である。
【図４】図４は、キュレーション広告配信システムのハードウェア構成図である。
【図５】図５は、キュレーション広告の表示例を示す図である。
【図６Ａ】図６Ａは、ユーザが商品を選択した場合にレコメンド情報を提供する処理の説明図である。
【図６Ｂ】図６Ｂは、ユーザが商品を選択した場合にレコメンド情報を提供する処理の説明図である。
【図６Ｃ】図６Ｃは、ユーザが商品を選択した場合にレコメンド情報を提供する処理の説明図である。
【図６Ｄ】図６Ｄは、ユーザが商品を選択した場合にレコメンド情報を提供する処理の説明図である。
【図７】図７は、ユーザの選択に応じて関連するカテゴリをレコメンドする処理のフローチャートである。
【図８】図８は、レコメンド情報の表示例を示す図である。
【図９】図９は、ユーザを選択した場合の検索結果の表示例である。
【図１０】図１０は、カテゴリを選択した場合の検索結果の表示例である。
【図１１】図１１は、ユーザがカテゴリを新規に作成する場合の処理の説明図である。
【図１２】図１２は、カテゴリを作成する処理のフローチャートである。
【図１３】図１３は、作成したカテゴリに基づいてリコメンドを要求する処理のフローチャートである。
【発明を実施するための形態】
【００１８】
以下、図面を参照して本発明を実施するための最良の形態について説明する。以下の実施の形態の構成は例示であり、本発明は実施の形態の構成に限定されない。
【００１９】
図１は、キュレーション広告配信システムの説明図である。本例のキュレーション広告配信システム１０は、ユーザが自由に商品情報（商品の情報）を選択してカテゴリを構成し、このカテゴリ毎の商品情報を広告（キュレーション広告）として配信するシステムである。
【００２０】
図１に示すように、本実施形態のキュレーション広告配信システム１０は、ネットワークを介してメーカ端末２０や、小売店端末３０、消費者端末４０と接続し、商品情報等の選択を受けると共にキュレーション広告の配信を行っている。なお、キュレーション広告配信システム（以下、本システムとも称す）１０は、本発明に係る情報管理装置の一形態である。本実施形態では、本システム１０と接続するメーカ端末２０や、小売店端末３０、消費者端末４０が、それぞれユーザ端末であり、本システム１０を利用するメーカ担当者、小売店担当者、消費者が、それぞれユーザである。
【００２１】
また、本システム１０は、選択検出部１１や、出力制御部１２、カテゴリ生成部１３、変更通知部１４、キュレーション部１５、カテゴリデータベース（ＤＢ）１６、ユーザ情報ＤＢ１７といった機能部を有している。
【００２２】
選択検出部１１は、ユーザによる情報の選択、例えば商品情報や、カテゴリ、キュレーション広告の発信者（ユーザ）の選択を検出する。
【００２３】
出力制御部１２は、商品情報が選択された場合に、カテゴリＤＢ１６を参照して当該選択された商品情報と同じカテゴリに関連付けられた商品情報を出力する。ここで出力は、本システム１０から端末２０−４０へ送信することであるが、これに限らず、印刷媒体への印刷出力やデジタルサイネージ等への出力を含んでも良い。
【００２４】
カテゴリ生成部１３は、出力制御部１２によって出力された商品情報のうち、ユーザによって選択された商品情報をカテゴリと関連付けてカテゴリＤＢ１６に記憶させる。なお、商品情報とカテゴリの関連付けは、一つの商品情報を一つのカテゴリ或いは複数のカテゴリと対応付けても良いし、複数の商品情報を一つのカテゴリ或いは複数のカテゴリと対応付けても良い。また、カテゴリ生成部１３は、カテゴリＤＢ１６に記憶されたカテゴリについて、ユーザが商品情報の選択を取り消すことや他の商品情報を選択すること等の修正操作を行った場合に当該カテゴリと商品情報の関連付けを修正する。更に、カテゴリ生成部１３は、カテゴリをテンプレートとしてカテゴリＤＢ１６から読み出し、当該カテゴリと商品情報との関連付けを変更して新規のカテゴリとして前記カテゴリＤＢ１６に記憶させても良い。なお、テンプレートとするカテゴリは、一つでも複数でも良い。
【００２５】
変更通知部１４は、カテゴリ生成部１３が、テンプレートとして参照したカテゴリと商品情報との関連付けを変更した場合に、変更前のカテゴリを作成した他のユーザに対して前記変更を通知する。また、カテゴリ生成部１３が、カテゴリと商品情報との関連付けを変更した場合、当該カテゴリが他のユーザにテンプレートとして参照されていれば、変更通知部１４は当該テンプレートの変更を参照している他のユーザに通知する。
【００２６】
キュレーション部１５は、ユーザによって選択された履歴をキュレーション情報として記憶する。出力制御部１２は、商品情報を出力する場合に、前記キュレーション情報に基づいて商品情報を出力する順序を決定しても良い。
【００２７】
カテゴリＤＢ１６は、ユーザによって選択された商品の情報をカテゴリと関連付けて記憶する。
【００２８】
図２は、カテゴリＤＢ１６の一例を示す図である。図２に示すように、カテゴリＤＢ１６は、カテゴリＩＤや、カテゴリ名、発信者ＩＤ、参照情報、商品情報を有している。
【００２９】
カテゴリＩＤは、当該カテゴリを一意に識別する識別情報、カテゴリ名は、当該カテゴリの名称、ユーザＩＤは、当該カテゴリを作成したユーザを特定するための識別情報である。
【００３０】
参照情報は、テンプレートを用いて当該カテゴリを作成した場合に元のテンプレートを示すカテゴリＩＤ（参照元情報）と当該カテゴリをテンプレートとして用いたカテゴリのカテゴリＩＤ（参照先情報）を有している。なお、一つのテンプレートを参照している場合、参照元情報は、一つのカテゴリＩＤとなるが、複数のテンプレートを参照している場合、複数のカテゴリＩＤを含む。同様に、参照先情報は、テンプレートとして参照されている数だけカテゴリＩＤを有する。
【００３１】
商品情報は、当該カテゴリに関連付けられた商品の情報であり、商品の名称（商品名）、商品の識別情報（商品ＩＤ）、商品の画像情報を有している。なお、商品の画像情報は、画像データの格納場所を示すリンク情報であっても良い。また、商品情報は、これらの情報のほか、商品説明やユーザレビュー等を有しても良い。なお、これらの情報が更新された場合に、更新前の情報を変更履歴として記憶しても良い。
【００３２】
ユーザ情報ＤＢ１７は、各ユーザに関する情報（ユーザ情報）を記憶する。図３は、ユーザ情報ＤＢ１７の一例を示す図である。図３に示すように、ユーザ情報ＤＢ１７は、ユーザＩＤ、ユーザのアドレス、お気に入り情報を有している。ここでユーザのアドレスは、ユーザに対する情報の配信先であり、電子メールアドレスやＩＰアドレスである。お気に入り情報は、ユーザが任意に選択した商品、カテゴリ、発信者（ユーザ）の情報等である。お気に入り情報は、お気に入りとして登録する情報の種別（情報種別）を含んでも良い。また、ユーザ情報ＤＢ１７は、ユーザ認証用の登録データや、ユーザの氏名、ニックネーム、住所、電話番号、ユーザの画像等のユーザ情報を有しても良い。
【００３３】
図４は、本システム１０のハードウェア構成図である。図４に示すように、本システム１０は、ＣＰＵ（central processing unit）やメインメモリ等よりなる演算処理部１、
演算処理の為のデータやソフトウェアを記憶した記憶部（ハードディスク）３、入出力インタフェース４、通信制御部（ＣＣＵ：Communication Control Unit）５等を備えたコンピュータである。
【００３４】
入出力インタフェース４は、入出力手段と接続し、信号の入出力を行うインタフェース
である。入出力インタフェース４には、コンソール（キーボードやディスプレイを含む）や記憶媒体の読み書き装置等が入出力手段として適宜接続される。
【００３５】
ＣＣＵ５は、ネットワークを介して他のコンピュータとの接続を確立し、ＣＰＵからの命令に応じた他のコンピュータとの通信の制御を行う。
【００３６】
記憶部３には、オペレーティングシステム（ＯＳ）やアプリケーションソフト（サーバプログラム、情報管理プログラム）といったソフトウェアがインストールされていると共に、ウェブサイトを構成するウェブページ等のデータを記憶している。また、記憶部３は、上記ユーザ情報ＤＢ１７を格納し、ユーザ情報記憶部としても機能する。更に、記憶部３は、上記カテゴリＤＢ１６を格納し、カテゴリ記憶部としても機能する。
【００３７】
演算処理部１は、前記ＯＳやアプリケーションプログラムを記憶部３から適宜読み出して実行し、入出力インタフェース４やＣＣＵ５から入力された情報、及び記憶部３から読み出した情報を演算処理することにより、上記選択検出部１１や、出力制御部１２、カテゴリ生成部１３、変更通知部１４、キュレーション部１５としても機能する。
【００３８】
図５は、キュレーション広告の表示例を示す図である。例えばメーカＡの担当者は、メーカ端末２０を操作して本システム１０に接続し、自社製品の画像データや商品情報を本システム１０へ送信し、カテゴリＤＢ１６に登録する。そして、これら商品情報をカテゴリ生成部１３により関連付けてカテゴリを生成する。本システム１０の出力制御部１２は、このカテゴリを所定形式の広告情報（キュレーション広告）として出力する。図５（Ａ）に示すようにキュレーション広告２０は、カテゴリ名２１や商品の画像２２が表示される。なお、カテゴリＤＢ１６のカテゴリの情報にカテゴリ毎のコメントや商品情報毎の商品説明やユーザレビュー等のコメントが含まれている場合には、このカテゴリのコメントや商品説明、ユーザレビューを合わせて表示しても良い。また、出力制御部１２は、当該カテゴリを作成したユーザ（カテゴリ作成者）のユーザＩＤと対応するユーザ情報をユーザ情報ＤＢから読み出してカテゴリの情報と共にキュレーション広告２０に表示しても良い。図５の例では、ユーザ情報２３として、ユーザの名前やニックネーム等の識別情報２４、ユーザの画像２５を表示している。
【００３９】
また、小売店の担当者は、各メーカＡ−Ｃのキュレーション広告から自店舗で取り扱っている商品を選択し、例えば取扱商品一覧としてカテゴリを生成する。同様に消費者がメーカＡ−Ｃや小売店Ｅ−Ｇのキュレーション広告から商品情報を選択してカテゴリを生成することで、本システム１０にカテゴリに関する情報が蓄積される。図５（Ｂ）は、消費者Ｊが生成したキュレーション広告、図５（Ｃ）は、消費者Ｋが生成したキュレーション広告の例を示す図である。
【００４０】
これらの情報を用い、消費者が本システム１０で商品に関する情報を収集する際の処理について以下に説明する。
【００４１】
図６Ａ−図６Ｃは、ユーザが商品を選択した場合にレコメンド情報を提供する処理の説明図、図７は、ユーザの選択に応じて関連するカテゴリをレコメンドする処理のフローチャートである。
【００４２】
消費者Ｘが端末４０を操作し、本システム１０にアクセスして図６Ａに示すように検索キーワードの入力欄４１に例えば商品名を入力して検索ボタンをクリックすると、端末４０は、この商品名を検索キーワードとして本システム１０へ送信する。この商品名を受信した本システム１０は、当該商品名を検索キーワードとしてカテゴリＤＢ１６を検索し、該当する商品情報を索出して消費者Ｘの端末４０へ送信する。
【００４３】
この商品情報を受信した端末４０は、図６Ｂに示すように商品の画像４３等の検索結果を表示する。なお、検索結果としては、商品の画像４３だけでなく、商品の説明や当該商品をカテゴリに入れているユーザのユーザ情報を含んでも良い。消費者Ｘがこの商品を選択した場合、例えば登録ボタン４４をクリックしてお気に入りに登録する場合、端末４０は、当該商品情報をお気に入りへ登録する旨の情報を本システム１０へ送信する。
【００４４】
上記の例では、商品情報を検索し、選択したが、これに限らず、カテゴリやユーザ情報を検索し、選択しても良い。
【００４５】
なお、登録ボタン４４を複数種類設けることで、登録する情報の種別を選ぶことができるようにしても良い。例えば、図６Ｃの例では、「ウォッチ（種別１）」「この人いいね（種別２）」「欲しい（種別３）」「持っている（種別４）」といった情報種別を選ぶ登録ボタン４４−１〜４４−４が設けられている。ボタン４４−１〜４４−４が押されると、端末４０は、お気に入りへ登録する旨の情報と共に、押された登録ボタン４４−１〜４４−４に応じた情報（情報種別）が本システム１０へ送信される。
【００４６】
ここで「ウォッチ」は、選択した情報が継続的にチェックしていきたい（知りたい）情報であることを示す種別である。「この人いいね」は、趣向の合うユーザを選択し、この種別でお気に入り登録することで、当該ユーザの作成したカテゴリがチェックしたい（知りたい）情報であることを示す種別である。「欲しい」は、選択した商品を購入したい場合で、当該商品の情報を含むカテゴリがチェックしたい（知りたい）情報であることを示す種別である。「持っている」は、選択した商品を購入済みであり、関連商品の情報を含むカテゴリがチェックしたい（知りたい）情報であることを示す種別である。
【００４７】
また、情報の選択は、検索に限らず、図６Ｄに示すように商品情報を一覧表示した画面やカテゴリを一覧表示した画面で、商品情報やカテゴリ、ユーザ情報をタップすることで、お気に入りへ登録することもできる。この場合、端末４０は、タップされた情報のＩＤ（商品ＩＤ、カテゴリＩＤ、ユーザＩＤ）とお気に入りへ登録する旨の情報を本システム１０へ送信する。そして、情報のタップ後、登録ボタン４４−１〜４４−４を押すことで、更に情報種別を本システム１０へ送信することとしても良い。
【００４８】
本システム１０は、お気に入りへ登録する旨の情報を受信すると、図７に示すように当該商品の選択として検出し(ステップＳ１０)、前記商品の商品ＩＤを消費者Ｘのお気に入り情報としてユーザ情報ＤＢ１７に登録する。なお、お気に入りへ登録する旨の情報と共に情報種別を受信した場合には、これもお気に入り情報としてユーザ情報ＤＢ１７に登録する。
【００４９】
次に本システム１０は、選択された商品についてカテゴリＤＢ１６を検索し(ステップ
Ｓ２０)、選択された商品と関連する情報、本例では選択された商品を含むカテゴリを抽
出する(ステップＳ３０)。なお、本システム１０は、情報が選択された際の情報種別によって抽出するカテゴリを異ならせても良い。例えば、情報種別が「ウォッチ」や「欲しい」であれば、選択された商品を含むカテゴリを抽出する。なお、情報種別が「欲しい」の場合、商品情報に金額が含まれているカテゴリや販売店のカテゴリを優先的に表示させても良い。
【００５０】
また、情報種別が「この人いいね」であれば、選択されたユーザが作成者となっているカテゴリを抽出し、情報種別が「持っている」であれば、選択された商品の関連商品を含むカテゴリを抽出する。なお、本システム１０は、デジタルカメラと記憶媒体（メモリカード）のように関連する商品の情報を対応付けたテーブル（関連情報テーブル）を記憶部
３に予め記憶しておき、「持っている」として選択された商品と対応する関連商品を関連情報テーブルから求め、関連商品が含まれているカテゴリをカテゴリＤＢ１６から抽出する。
【００５１】
そして、本システム１０は、抽出したカテゴリに含まれる商品情報をレコメンド情報として消費者Ｘの端末４０へ送信する(ステップＳ４０)。なお、情報種別が「ウォッチ」の場合、この時だけでなく、次回ログイン時や所定時間毎等の所定のタイミングでカテゴリを抽出し、抽出したカテゴリに含まれる商品情報をレコメンド情報として消費者Ｘの端末４０へ送信しても良い。
【００５２】
図８は、レコメンド情報の表示例を示す図である。図８の例では、選択した商品「Ａ醤油」が、図５（Ｂ）に示した消費者Ｊと図５（Ｃ）に示した消費者Ｋのキュレーション広告（カテゴリ）に含まれており、消費者Ｊのカテゴリに由来する商品２２Ｊと消費者Ｋに由来する商品２２Ｋが表示されている。
【００５３】
このように商品情報を選択することで、消費者Ｘは当該商品情報と関連する商品情報を取得することができる。なお、関連する情報が多すぎる場合には、表示する数を所定数に制限しても良い。この場合、消費者Ｘのキュレーション情報に基づいて優先度をつけて、優先度の高い順に所定数表示させる。
【００５４】
例えば、消費者Ｘのキュレーション情報として、消費者Ｘが過去に選択した商品情報が記録されている場合に、本システム１０の出力制御部は、この過去に選択した商品情報と一致する商品情報を多く含むカテゴリを優先度の高いカテゴリと判定し、表示順を決定する。
また、選択する情報は、商品情報に限らず、ユーザやカテゴリであっても良い。
【００５５】
図９は、ユーザを選択した場合の検索結果の表示例である。例えば消費者Ｘが、自分と嗜好の似ているユーザＬをお気に入りへ登録すると、本システム１０は、お気に入りへ登録する旨の情報を受信し、図７に示すように当該ユーザの選択として検出し(ステップＳ
１０)、消費者ＬのユーザＩＤを消費者Ｘのお気に入り情報としてユーザ情報ＤＢ１７に
登録する。
【００５６】
次に本システム１０は、選択された消費者（ユーザ）ＬについてカテゴリＤＢ１６を検索し(ステップＳ２０)、選択された消費者（ユーザ）Ｌと対応する情報、本例では消費者（ユーザ）Ｌが作成したカテゴリを抽出する(ステップＳ３０)。
【００５７】
そして、本システム１０は、抽出したカテゴリをレコメンド情報として消費者Ｘの端末４０へ送信する(ステップＳ４０)。
【００５８】
これにより消費者Ｘは、図９に示すように嗜好の似ている消費者Ｌが作成したキュレーション広告を一覧表示できる。
【００５９】
また、図１０は、カテゴリを選択した場合の検索結果の表示例である。例えば消費者Ｘが、自分の集めたい商品と一致しているカテゴリをお気に入りへ登録すると、本システム１０は、お気に入りへ登録する旨の情報を受信し、図７に示すように当該カテゴリの選択として検出し(ステップＳ１０)、当該カテゴリのカテゴリＩＤを消費者Ｘのお気に入り情報としてユーザ情報ＤＢ１７に登録する。
【００６０】
次に本システム１０は、選択されたカテゴリについてカテゴリＤＢ１６を検索し(ステ
ップＳ２０)、選択されたカテゴリと対応する情報、本例では当該カテゴリの履歴情報を
抽出する(ステップＳ３０)。
【００６１】
そして、本システム１０は、抽出したカテゴリの履歴情報をレコメンド情報として消費者Ｘの端末４０へ送信する(ステップＳ４０)。なお、抽出したカテゴリの履歴情報に限らず、参照先カテゴリや参照元カテゴリの履歴情報をレコメンド情報として消費者Ｘの端末４０へ送信しても良い。
【００６２】
これにより消費者Ｘは、図１０に示すように自分の集めたい商品と一致しているカテゴリの変更履歴を確認できる。
【００６３】
図１１は、ユーザがカテゴリを新規に作成する場合の処理の説明図、図１２は、図１１の処理のフローチャートである。
【００６４】
消費者Ｘが端末４０を操作し、本システム１０にアクセスして、例えば図１１に示すように消費者Ｌのカテゴリ２０Ｌを表示させ、新規カテゴリに採用する商品情報を選択すると、当該選択要求が端末４０から本システム１０へ送信され、本システム１０が当該商品情報の選択を受け付ける(ステップＳ５０)。なお、商品情報の選択は、採用したいものを個別に選択すれば良いが、作成したいカテゴリに類似したカテゴリがあれば、この類似したカテゴリをテンプレートとして採用しても良い。また、複数のカテゴリを組み合わせてテンプレート化することもできる。
【００６５】
例えば消費者Ｌのカテゴリ２０Ｌを採用する旨の要求情報を本システム１０へ送ると、本システム１０は消費者Ｌのカテゴリ２０Ｌをテンプレートとし、カテゴリＬの商品情報が選択されてものとして受け付ける。即ち、商品情報がカテゴリ２０Ｌからカテゴリ２０Ｘに引き継がれる。
【００６６】
そして、カテゴリ２０Ｌから引き継いだ商品情報に消費者Ｘが追加や削除といった修正を加え、所望の商品情報の組み合わせとする。図１１の例では、カテゴリ２０Ｌに由来する商品情報２２Ｌに加えて、カテゴリ２０Ｋに由来する商品情報２２Ｋを加えている。
【００６７】
そして消費者Ｘがカテゴリ名を入力し、端末４０が本システム１０へ送信すると、本システム１０が、このカテゴリ名を受け付け(ステップＳ６０)、当該カテゴリ名と前記商品情報とを対応付け(ステップＳ７０)、カテゴリＤＢに記憶する(ステップＳ８０)。これにより新規カテゴリ２０Ｘが作成される。
【００６８】
なお、カテゴリ２０Ｘの参照元情報には、カテゴリ２０ＬのカテゴリＩＤが入力される。なお、複数のカテゴリを参照した場合には、複数のカテゴリＩＤが参照元情報に記録される。一方、カテゴリ２０Ｌの参照先情報には、カテゴリ２０ＸのカテゴリＩＤが入力される。即ち複数のカテゴリから参照された場合には、複数のカテゴリＩＤが参照先情報に記録される。そして、図１１のように商品情報２２Ｌに加えて商品情報２２Ｋが追加された場合、この商品情報２２Ｋの追加を消費者Ｌに対して通知する。例えば、消費者Ｌのメールアドレスに電子メールで通知することや、消費者Ｌが本システムにログインした際のメッセージ等で通知する。これにより消費者Ｌは、自分と似た嗜好を持つユーザがいることや、似た嗜好を持つユーザが選んだ商品情報を知ることができる。
【００６９】
また、テンプレートとしたカテゴリ２０Ｌが変更された場合には、この変更情報が参照先となっているカテゴリ２０ＸのユーザＸに対しても通知される。なお、単に通知されるだけでなく、カテゴリ２０Ｌの変更と同期してカテゴリ２０Ｘに変更が反映されても良い。例えば、カテゴリ２０Ｌの商品情報が新商品の情報に置き換えられた場合、カテゴリ２０Ｘの商品情報も新商品の情報に置き換えられるようにする。
【００７０】
更に、消費者Ｘがカテゴリ２０Ｘに不足を感じた場合、即ちカテゴリ２０Ｘに類似の商品情報を追加したい場合、レコメンドを要求できる。図１３は、作成したカテゴリに基づいてリコメンドを要求する処理のフローチャートである。
【００７１】
本システム１０は、端末４０から、レコメンドの要求と、レコメンドを要求するカテゴリ２０ＸのカテゴリＩＤを受信すると(ステップＳ１１０)、当該カテゴリ２０Ｘに属する商品情報の少なくとも一つと同じ商品情報を含むカテゴリを抽出する(ステップＳ１２０)。
【００７２】
そして、ステップＳ１２０で抽出したカテゴリを持つユーザを抽出して(ステップＳ１
３０)、当該ユーザに対してカテゴリ２０Ｘに追加する商品情報のリコメンドを要求する(ステップＳ１４０)。このリコメンドの要求は、例えば、当該ユーザのメールアドレス宛
てに電子メールで送信することや、当該ユーザが本システム１０にログインした際のメッセージ等で通知する。
【００７３】
このリコメンド要求に対してメーカや小売店の担当者等が、カテゴリ２０Ｘに適合すると思われる商品情報を選択して本システム１０へ送信すると、本システム１０は、この商品情報をカテゴリ２０Ｘに属する商品情報として対応付けてカテゴリＤＢ１６に記憶する。
【００７４】
これによりユーザＸのカテゴリ２０Ｘに、他のユーザが推奨する商品情報が追加される。なお、追加される情報が多すぎる場合には、追加する数を所定数に制限しても良い。この場合、消費者Ｘのキュレーション情報に基づいて優先度をつけて、優先度の高い順に所定数追加させる。例えば、消費者Ｘのキュレーション情報として、消費者Ｘが過去に選択した商品情報が記録されている場合に、本システム１０は、この過去に選択した商品情報と一致する商品情報を多く含むカテゴリを持つユーザからの商品情報を優先度の高い情報と判定し、追加する順序を決定する。
【００７５】
以上のように本実施形態によれば、ユーザの選択行為、即ちキュレーションに基づいて、ユーザの趣味嗜好により近い情報を取得する技術を提供できる。
【符号の説明】
【００７６】
１    演算処理部
３    記憶部
４    入出力インタフェース
１０  キュレーション広告配信システム
１１  選択検出部
１２  出力制御部
１３  カテゴリ生成部
１４  変更通知部
１５  キュレーション部
２０  メーカ端末
３０  小売店端末
４０  消費者端末
【図１】
2014160313.tif 000003
【図２】
2014160313.tif 000004
【図３】
2014160313.tif 000005
【図４】
2014160313.tif 000006
【図５】
2014160313.tif 000007
【図６Ａ】
2014160313.tif 000008
【図６Ｂ】
2014160313.tif 000009
【図６Ｃ】
2014160313.tif 000010
【図６Ｄ】
2014160313.tif 000011
【図７】
2014160313.tif 000012
【図８】
2014160313.tif 000013
【図９】
2014160313.tif 000014
【図１０】
2014160313.tif 000015
【図１１】
2014160313.tif 000016
【図１２】
2014160313.tif 000017
【図１３】
2014160313.tif 000018